(57)【要約】【課題】長期の使用に伴い、感光体の膜厚が減少することで画像を形成するトナー高さが増大し粒状性の低下を招く。【解決手段】感光体の膜厚に関する情報を把握して、その情報に基づいて積算露光プロファイルを変更し、濃度調整を行なって画像形成を行なう構成とした。【選択図】図１７
2017083717.tif 000002
【特許請求の範囲】
【請求項１】
感光体と、
前記感光体を露光して静電潜像を形成する露光手段と、
前記静電潜像を色材によって現像するための現像手段と、
前記感光体の膜厚に関する情報を把握する膜厚把握手段と、
前記感光体上の積算光量プロファイルを変更する積算光量プロファイル変更手段と、
前記感光体の膜厚に関する情報から前記積算光量プロファイルを定めるための対応関係の膜厚―積算光量プロファイル情報と、
感光体電位、現像バイアス、画像データのうちを少なくとも１つを用いて濃度を調整することができる濃度調整手段を有する画像形成装置において、
前記膜厚に関する情報と、前記膜厚―積算光量プロファイル情報に基づいて、前記感光体上積算光量プロファイルを変更し、
前記濃度調整手段によって濃度調整を行い、
画像形成を行なうことを特徴とする画像形成装置。
【請求項２】
前記感光体上の露光スポットの積算光量プロファイルを変更する手段は、前記露光光源より照射された露光スポットの集光状態を調整する光学的な焦点調整手段であることを特徴とする請求項１に記載の画像形成装置。
【請求項３】
前記露光手段は複数の光源によって構成され、前記感光体上の、同一画素を構成する露光スポットの積算光量プロファイルを変更する手段は、前記露光手段を構成する複数の光源より照射され前記感光体上に形成された複数の露光スポットを、前記露光スポットの中心が互いにずれるように配置し、前記露光スポットの中心部のずれ量に応じて、前記露光スポットの重ねあわせとして形成される積算光量プロファイルを変更する手段であることを特徴とする請求項１に記載の画像形成装置。
【発明の詳細な説明】
【技術分野】
【０００１】
本発明は、複写機、複合機、プリンターなどの画像形成装置に係わり、特に感光体を用いる電子写真方式の画像形成装置に関する。
【背景技術】
【０００２】
従来の複写機、複合機などの電子写真方式の画像形成装置では、一様に帯電された感光体に、画像データに基づいて選択的な露光を行なうことによって静電潜像を形成し、この静電潜像を顕在化するためにトナーによって現像を行い感光体上にトナー像を形成する。
【０００３】
さらに感光体上に形成されたトナー像を記録媒体へと転写し、転写後の記録媒体上のトナー像を定着工程により記録媒体に定着させ、画像形成を行なう。
【０００４】
このような画像形成装置においては、画像形成後に感光体上に転写されずに残留したトナーを除去するために、クリーングブレードなどのクリーニング部材を当接させてトナーを削り落としている。そのため、長期の使用に伴いこのクリーニング部材との摺擦によって感光体の表面が徐々に削れ、感光体の膜厚が低下するということが生じる。
【０００５】
感光体の膜厚が低下すると感光体内における電界強度が増大するため、感光体支持体からの電荷注入が促進される。そのため、感光体の帯電能の低下や、非画像部を露光する反転露光系では非画像部の電荷を露光によって除去しきれず、非画像部にトナーが付着してしまう所謂カブリ等の現象を招く。
【０００６】
この感光体の膜厚の減少に伴う帯電能の低下に対応するために、特許文献1には感光体の膜厚に関する情報に基づいて感光体の露光手段の露光量を制御する構成が提案されている。
【０００７】
また、感光体の膜厚の低下に伴う別の問題として、感光体上での露光スポットのスポット径が非常に小さいとき、感光体の膜厚の減少に伴う感光体内における電界強度の増大によって、励起キャリアの生成量が増加し、そのキャリアの拡散によって静電潜像の電位分布（潜像プロファイル）が広がり、潜像が劣化するということが生じる。
【０００８】
この、キャリアの生成量の増大に伴う潜像の劣化は、感光体上での露光スポット径が５０μｍ以上の時は画像に対する影響はないが、感光体上での露光スポット径をさらに小型にしたときに（１６μｍ程度）顕著になる。
【０００９】
そこで、特許文献２には感光体上での露光スポット径が５０μｍ以下のとき特許文献２（１）式を満たすように露光光源の露光エネルギーまたはビームスポット面積を変化させる構成が提案されている。
【００１０】
［感光体膜厚の現象に伴う潜像の良化］
上記では感光体の膜厚の減少によって生じる問題を述べたが、感光体の膜厚が減少することによって画像品質にとって良い方向へ向かう面も存在することが知られている。
【００１１】
特許文献２のように露光スポット径が非常に小さい場合を除いて、一般に静電潜像の電位分布（潜像プロファイル）は感光体の膜厚が減少することによって鮮鋭になる。ここで、図１は同材質で膜厚の異なる感光体を帯電し、それを同一の光量で露光した際に形成される潜像プロファイルを示す。図１中の線分Ａは現像電位面を示している。ここで現像電位面とは、トナー担持体に印加される（直流）電圧と等電位の面のことであり、一般には静電潜像の電位と現像電位面との差と、トナー一粒子あたりの電荷量に応じて現像されるトナー量が決まる。
【００１２】
図１に示すように、感光体の膜厚が減少すると潜像プロファイルの現像電位面での傾きが大きくなり、現像電位面に対する深さが深い潜像となる。ここでいう潜像プロファイルの現像電位面での傾きとは、潜像プロファイルの現像電位面との交点における傾きの絶対値として定義する。
【００１３】
例えば、積層型の感光体の場合、露光によって電荷発生層で生成されたキャリアが電荷輸送層に注入され、感光体内の電界に沿って感光体表面に移動し、感光体の表面電位を中和して静電潜像を形成する。ここで電荷輸送層の膜厚を減少させることによって、感光体内の電界強度を増大させ、キャリアの拡散距離を減少させることによって、感光体内の電界と垂直な方向へのキャリアの拡散を抑制し、露光プロファイルに忠実かつ鮮鋭な潜像プロファイルを形成することができる。
【００１４】
静電潜像に対するトナーの現像工程という観点で、この潜像プロファイルの鮮鋭さ、つまり潜像プロファイルの現像電位面での傾きおよび現像電位面に対する深さによる影響を考えると、この傾きおよび深さが大きいほど、トナーが潜像に対して引き寄せられる力が強くなる。
【００１５】
そのため静電潜像に対してトナーが忠実に現像され、また、感光体上の形成されたトナー像の端部におけるトナーの飛散具合も小さいため、画像データに対する再現度が良好なトナー像を形成することが出来る。
【００１６】
このように感光体の膜厚を薄くすると、感光体支持層による電荷注入の弊害はあるものの、潜像プロファイルが鮮鋭化することで画像データに対する出力画像の再現性が良好になるということが従来知られていた結果であった。
【先行技術文献】
【特許文献】
【００１７】
【特許文献１】特開２００２−２９６８５３号公報
【特許文献２】特開２００７−７２３３５号公報
【発明の概要】
【発明が解決しようとする課題】
【００１８】
しかし、本発明者が調査した結果、感光体の膜厚が減少することで潜像プロファイルは鮮鋭化するものの、出力画像の粒状性が低下してしまうという現象が確認された。
【００１９】
この現象を表す一例を図２に示す。図２は感光体膜厚に対して、粒状性を示す指数であるＲＭＳ粒状度をとったものである。
【００２０】
ここで、ＲＭＳ粒状度とは粒状性を標準化するための指数であり、ＡＮＳＩ  ＰＨ−２．４０−１９８５で標準化されている。ＲＭＳ粒状度はある画像の濃度分布の標準偏差によって与えられ、次式によって算出する。
【００２１】
【数１】
2017083717.tif 000003
【００２２】
ただし、Ｄｉは濃度分布を表し、
【００２３】
【数２】
2017083717.tif 000004
【００２４】
は平均濃度を表す。
ここでＲＭＳ粒状度の値が大きいほど粒状性としてはよくないことに注意しておく。
【００２５】
図２より感光体の膜厚が２５μｍになるまでは膜厚が減少することで、粒状性が良化していくものの、感光体の膜厚が２５μｍ以下になると膜厚が減少することで粒状性は低下していく。感光体の膜厚が２５μｍになるまでの粒状性の良化については、潜像プロファイルが鮮鋭化することによる画像データに対する出力画像の再現性が良化として説明することができる。しかし、感光体の膜厚が２５μｍ以下では、潜像プロファイルが鮮鋭化しているにもかかわらず粒状性が低下してしまう。
【００２６】
この原因について解析したところ、詳細については後ほど述べるが、感光体の膜厚が減少することで潜像プロファイルが鮮鋭化することで、感光体上のハーフトーンのドットを形成するトナー像の高さが高くなり、現像以降の画像形成工程での乱れに弱いためであることが判明した。
【００２７】
従来の構成ではこの潜像プロファイルの鮮鋭化に伴う粒状性の低下に対応できる構成ではないために、感光体の膜厚が減少することによる粒状性の低下を防ぐことは困難であった。
【００２８】
例えば特許文献１における構成のように、感光体の膜厚の減少に対して黒ベタ部での潜像電位を一定にする構成にしたとしても、ハーフトーンを構成するドットやラインの潜像プロファイルが鮮鋭化するため、使用開始時の初期状態に対して粒状性は低下してしまう。
【００２９】
また、特許文献２における構成は、特許文献２の（１）式を満たすことで潜像プロファイルを鮮鋭化するための構成であり、潜像プロファイルが鮮鋭化する限りにおいては問題とならないため、本発明における感光体の膜厚が減少することよる潜像プロファイルの鮮鋭化によって粒状性が低下する課題には対応することが出来ない。また、スポット径が５０μｍ以上の場合においても、膜厚の減少具合によっては、潜像プロファイルの鮮鋭化によって粒状性が低下する課題が起こりうるため、特許文献２における構成では本課題に対応することは出来ない。
【００３０】
本発明は、このような課題を解決するためのものである。すなわち、感光体膜厚が減少しても潜像プロファイルの現像電位面での傾きおよび、現像電位面に対する深さを一定に保つことで、経時の使用に伴う粒状性の劣化を抑え、画像品質を維持することのできる画像形成装置を提供することを目的とする。
【課題を解決するための手段】
【００３１】
上記の目的を達成するために、本発明に係る画像形成装置は、
感光体の膜厚に関する情報を検知する手段と、感光体上の露光スポットの積算光量プロファイルを変更する手段とを持ち、前記感光体の膜厚に関する情報の検知手段によって検知された感光体の膜厚に関する情報に基づいて、感光体に形成される潜像プロファイルの現像電位面での傾きおよび、現像電位面に対する深さを一定にする構成とした。
【発明の効果】
【００３２】
本発明に係る画像形成装置は、感光体の膜厚に関する情報に基づいて、感光体の露光スポットの積算光量プロファイルを変化させ、潜像プロファイルの現像電位面での傾きおよび、現像電位面に対する深さを一定にし、さらに黒ベタ部のトナー濃度に応じて、黒部ベタ部のトナー濃度が一定になるように光量の調整を行なう構成とした。そのため感光体の膜厚が減少しても潜像プロファイルが鮮鋭化することなく、感光体上のトナー像の高さを一定に保つことができ、経時の使用に伴う粒状性の劣化を抑え、画像品質を維持することができる。
【図面の簡単な説明】
【００３３】
【図１】膜厚の減少に対する潜像プロファイルの変化を示す図である。
【図２】膜厚の減少に対する粒状性の変化を示したものである。
【図３】実施例１における構成の概略図である。
【図４】実施例１における感光体の構成の概略図である。
【図５】（ａ）は実施例１における露光装置の概略図、（ｂ）は実施例１におけるコリメータ光学系の概略図である。
【図６】実施例１における膜厚検出器の概略図である。
【図７】膜厚の減少に伴うトナー高さの変化を示した図である。
【図８】膜厚の減少に対する潜像プロファイルの変化を示す図である。
【図９】膜厚の減少に対して、潜像プロファイルの現像電位面に対する深さおよび傾きを示した図である。
【図１０】膜厚の減少およびそれに伴うトナー高さの増加に対して、ドット面積の標準偏差値を示した図である。
【図１１】トナー高さのみを増大させたときのドット面積の標準偏差値を示す図である。
【図１２】スポット径の変化に対する潜像プロファイルの変化を示す図である。
【図１３】スポット径の変化に対して潜像プロファイルの現像電位面に対する深さおよび傾きを示した図である。
【図１４】膜厚とスポット径の組み合わせに対して潜像プロファイルの現像電位面に対する深さおよび傾きを示した図である。
【図１５】潜像プロファイルの現像電位面に対する深さおよび傾きを一定にするための膜厚とスポット径の組み合わせを示す図である。
【図１６】実施例１における制御を含めた構成を示すブロック図である。
【図１７】実施例１における画像形成の流れを示すフローチャートである。
【図１８】（ａ）は実施例１における画像形成にともなう膜厚の減少を示す図、（ｂ）は実施例１の画像形成装置使用時の膜厚の変化に対して粒状性を示した図である。
【図１９】（ａ）は実施例２における露光装置の概略説明図、（ｂ）は実施例２における露光光源の概略説明図である。
【図２０】（ａ）は実施例２における感光体の露光方法の説明図、（ｂ）はスポットの重なりによる積算光量プロファイルの変化を示す図、（ｃ）はスポット間のずれ量が大きい場合の積算光量プロファイルを示した図である。
【図２１】スポット間のずれ量に対して積算光量プロファイルの傾きを示した図である。
【図２２】スポット間のずれ量に対して潜像プロファイルを示した図である。
【図２３】スポット間のずれ量に対して潜像プロファイルの現像電位面に対する深さおよび傾きを示した図である。
【図２４】潜像プロファイルの現像電位面に対する深さおよび傾きを一定にするための膜厚とスポット間のずれ量の組み合わせを示す図である。
【図２５】実施例２の画像形成装置使用時の膜厚の変化に対して粒状性を示した図である。
【発明を実施するための形態】
【００３４】
以下、本発明に係る画像形成装置を図面に則して更に詳しく説明する。
【実施例１】
【００３５】
［画像形成装置の構成および画像形成工程の概略］
図３は本実施例の画像形成装置の概略図である。感光体１はローラー帯電装置２によって負極性に一様に帯電される。ローラー帯電装置２には感光体１に流入する電流量から感光体の膜厚を検知する膜厚検出器１２が取り付けられている。
【００３６】
感光体の帯電電位は電位センサー１３によって検知することができる。
【００３７】
画像信号に対応して露光光源および感光体上の積算光量プロファイルの変更手段および走査光学系からなるスキャナー７から放出されるレーザー光Ｌが感光ドラム１上に照射されることによって感光体の電位は減衰し、静電潜像が形成される。
【００３８】
二成分現像器３によって静電潜像はトナー像として現像され、感光体上に形成されたトナー像は１次転写ローラー４によって中間転写ベルト１４上に転写される。中間転写ベルト１４上に転写されたトナー像は２次転写ローラー９によって記録媒体１０に転写される。
【００３９】
記録媒体１０に転写されたトナー像は定着器１１によって熱と圧力を付与され定着される。感光体１に残存した転写残トナーはクリーナー５によって掻き取られる。クリーナー５内の掻き取られた転写残トナーは図示しない廃トナー容器に搬送され回収される。その後除電ランプ６によって感光体の潜像電位の履歴を消去した後、再びローラー帯電装置２によって帯電され、一連の画像形成工程が繰り返し行なわれる。
【００４０】
また、濃度検出器１５によって中間転写ベルト上の黒ベタ部のトナー濃度が読み取られ、黒ベタ部のトナー濃度が一定になるようにレーザー光Ｌの強度が調整される。
【００４１】
［感光体の構成］
本実施例に用いた感光体１は積層型有機感光体であり、その構成概略図を図４に示す。
【００４２】
感光体１の層構成は感光体１の表層に近い順から、電荷輸送層２１、電荷発生層２２、下部被服層２３の四つの層構成をなし、下部被服層２３の下に基盤となるとなるＡｌ素管２４が配置した構成となっている。それぞれの層の役割を以下に示す。
【００４３】
電荷輸送層：電荷発生層で発生したキャリアをドラム表層まで運ぶ役割を果たしている。ドラムの帯電極性がマイナスの場合、この層によって正孔が輸送される。
【００４４】
電荷発生層：光励起によって、電子正孔対のキャリアが生成される。
【００４５】
下部被覆層：電荷発生層によって発生したキャリアをＡｌ基盤部まで輸送する。ドラム帯電極性がマイナスの場合、この層によって電子が輸送される。
【００４６】
本実施例における膜厚とは、被覆層から下部被服層までの膜厚の総和を意味する。また、本実施例に用いた感光体１の膜厚は、画像形成開始前の初期状態では２５μｍである。
【００４７】
［露光装置の構成］
次に図５（ａ）に本実施例における露光装置であるスキャナー７の概略説明図を示す。
【００４８】
露光光源３１は中心波長６８０ｎｍの半導体レーザーからなり、露光光源３１より照射されたレーザー光Ｌは、焦点調整機構３２を備えたコリメートレンズ３３を通り平行光となった後、６つのミラーにより構成される回転多面体ミラー３４によって反射および走査される。回転多面体ミラー３４によって反射されたレーザー光Ｌはｆ−θレンズ３５によって感光体上に集光される露光光源３１にはレーザードライバーが接続されており、レーザーの発光タイミングの制御やレーザー強度の制御を行なう。
【００４９】
焦点調整機構３２およびコリメートレンズ３３からなるコリメートレンズ光学系の詳細を図示したものを図５（ｂ）に示す。図５（ｂ）においてレーザーの光軸方向を矢印Ａで示す。
【００５０】
図５（ｂ）に示すようにレーザーの入射方向および出射方向に中空を有するフレーム４１に、ステッピングモーター４２およびガイド軸４３が設けられている。コリメートレンズ３３はガイド軸４３および、リードネジ４４により支持される。ここで、コリメートレンズ３３はその焦点方向とレーザーの光軸方向が一致するように支持されている。また、ガイド軸４３はその軸がレーザーの光軸方向と一致するように設けられている。
【００５１】
コリメートレンズ３３にはガイド軸４３と摺接するすべり軸受けおよびリードネジ４４に螺合するメスネジが取り付けられており、コリメートレンズ３３はリードネジ４４の回転に伴ってガイド軸４３方向に移動する。
【００５２】
リードネジ４４はステッピングモーター４２と系合し、ステッピングモーター４２の回転に伴って回転する。また、リードネジ４４のステッピングモーター４２と逆方向の端部はフレーム４１に取り付けられた軸受け４５によって支持される。
【００５３】
ここで、制御信号によってステッピングモ−ター４２が駆動し、リード軸４４の回転に伴ってコリメートレンズ３３がその焦点方向に動くことによって、感光体上のスポット径を変更させることができる。
【００５４】
ここで、露光スポットの光量分布はガウシアンであり、スポット径とは光量分布の光量ピーク値の１／ｅ２の値における光量分布の直径とする。本実施例では、感光体上のスポット径を変更することで、感光体上の露光スポットの積算量プロファイルを変化させる。
【００５５】
本実施例での初期状態におけるスポット径の設定値は４０μｍである。また、感光体の露光量は、露光光源２１の半導体レーザーのレーザー強度を制御することにより変化させることができる。
【００５６】
ここでコリメートレンズのその焦点方向への移動量に対して、感光体上のスポット径を示したものを表１に示す。
【００５７】
本実施例では表１に示すようなスポット径−コリメートレンズの移動量の変換テーブルに基づいて、所望のスポット径になるようにコリメートレンズの焦点方向に対する移動量の調整を行なう。
【００５８】
【表１】
2017083717.tif 000005
【００５９】
［膜厚検出器の構成］
次に、図７に、膜厚検出器１２の概略説明図を示す。
【００６０】
膜厚検出器１２は、ローラー帯電装置２に流入する電流を測定する電流計５１、電位センサー１３および電流計３１からの出力信号を読み取り膜厚を計算する膜厚計算部５２からなる。
【００６１】
感光体膜厚の検出原理は感光体の静電容量の変化より膜厚を計算するものである。すなわち、感光体の膜厚をｄ、感光体に流れる電流値をＩ、感光体に流入する電荷量をＱ、感光体の表面電位をＶ、プロセススピードをｐ、ローラー帯電装置による有効帯電領域の長さをｌ、感光体の長手方向の長さをＬとすれば、
流入電荷量Ｑ、感光体の静電容量Ｃおよび感光体の電位Ｖの間には
Ｑ＝Ｃ・Ｖ・・・（１）
の関係が成り立つ。
また、流入電荷量Ｑは感光体に電位Ｖが形成される時間Δｔを用いて
Ｑ＝Ｉ・Δｔ・・・（２）
と表せる。ここで、有効帯電領域内に流入する電荷量および、有効帯電領域内の電位形成時間を考えれば、
Ｑ＝Ｉ・Δｔ＝Ｉ・ｌ／ｐ・・・（３）
となる。また、感光体の静電容量Ｃは感光体の誘電率ε、真空の誘電率ε０を用いて
Ｃ＝ε０・ε・ｌ・Ｌ／ｄ・・・（４）
と表せる。（１）式、（３）式、（４）式より感光体の膜厚ｄは、感光体に流れる電流値をＩおよび感光体
の表面電位Ｖを用いて、
ｄ＝ε０εＬ・ｐ・Ｖ／Ｉ・・・（５）
と表せる。
【００６２】
この計算式によって、電流計３１によって計測した電流Ｉおよび電位センサー３１によって計測した電位Ｖとから感光体の膜厚を算出することが出来る。
【００６３】
ここで電流計３１に流れる電流量に対して、（５）式によって算出された感光体の膜厚を示したものを表２に示す。ただし、ここで表２は感光体の電位がＶ＝−７００［Ｖ］の場合であり、本実施例ではこのような電流量―感光体膜厚の変換テーブルを、感光体の電位に応じて記憶している。
【００６４】
本実施例ではこの電流量−感光体膜厚の変換テーブルに基づいて、電流計３１に流れる電流量から、感光体の膜厚を算出する。
【００６５】
【表２】
2017083717.tif 000006
【００６６】
本実施例においては膜厚検出器１２によって検知した膜厚に基づいて、スポット径の変更を行い、変更後のスポット径は潜像プロファイルの現像電位面での傾きおよび、現像電位面に対する深さを一定にするように決定される。
【００６７】
［感光体膜厚の減少が粒状性に及ぼす影響］
ここで、本発明の理解のために、感光体膜厚が減少することによって、感光体上のトナー像の高さに及ぼされる影響および、潜像プロファイルに及ぼされる影響について述べる。
【００６８】
［感光体膜厚の変化がトナー高さに及ぼす影響］
まず、感光体の膜厚が変化することで、感光体上のトナー高さに及ぼされる影響およびその原因について述べる。
【００６９】
感光体膜厚に対して、同一のハーフトーン画像を構成するドットの感光体上におけるトナー高さをとったものを図７に示す。図７より、感光体膜厚が減少するほどハーフトーン画像を構成する感光体上のドットのトナー高さが高くなる。
【００７０】
［感光体膜厚の変化が潜像プロファイルの形状に及ぼす影響］
この感光体膜厚が減少することで、感光体上のドットのトナー高さが高くなる原因を考察するために、感光体膜厚の減少に伴う潜像プロファイルの形状の変化がトナー高さに対して及ぼす影響について述べる。ここで、潜像プロファイルの形状を直接観測することは困難なので、露光プロファイルと電荷キャリアの生成およびその感光体内での輸送過程に基づいた潜像シミュレーションによって潜像プロファイルの形状を比較した。
【００７１】
感光体の膜厚に対して、１ドットの潜像プロファイルをプロットしたものを図８に示す。
【００７２】
図８において縦軸は潜像の電位を表し、左から順に感光体の膜厚が３０μｍ、２５μｍ、２０μｍ、１５μｍ時の潜像プロファイルを並べたものである。ここで、シミュレーションにおける露光条件は各膜厚に対して黒ベタでの濃度が一定となる現像コントラスト電位を実験により求め、黒ベタにおける現像コントラスト電位がその値となるようにしている。
【００７３】
図８により得られた潜像プロファイルから、潜像プロファイルの現像電位面での傾きおよび現像電位面に対する深さを示したものを図９（ａ）および（ｂ）に示す。
【００７４】
図９（ａ）および（ｂ）より感光体の膜厚が薄くなるに伴い、潜像プロファイルの現像電位面での傾きが大きく、現像電位面に対する深さが深い潜像となる。これは感光体の膜厚が減少することによって、感光体内の電界強度が増大し、キャリアの拡散距離が減少する効果と、感光体の表層に達するまでの距離が小さくなり、拡散距離が減少する効果によるものである。潜像プロファイルの現像電位面に対する深さが深くなることによってそれを埋めるための電荷量がトナーの高さ方向に増大する。また潜像プロファイルの現像電位面における傾きが増大することによって感光体上のトナー像の端部における飛び散りが減少し、潜像に対して忠実にトナーが現像されることでトナー高さが増大する。
【００７５】
このように、感光体の膜厚が減少することで潜像プロファイルが鮮鋭化し、感光体上のトナー像の高さが高くなることで、画像形成工程における静電的、力学的な乱れによってトナー像が乱れやすく、粒状性の低下が生じるのである。
【００７６】
［膜厚の減少による乱れやすさ］
次に、感光体上のトナー高さが高くなることによって粒状性に及ぼされる影響について述べる。
【００７７】
トナー高さが粒状性に対して及ぼす影響を調べるために、まずトナー高さとドットの乱れやすさの関係を調査した。そのために、出力画像のハーフトーンを構成するドット面積の標準偏差値を１ドットの乱れ具合を示す値と考え、感光体の膜厚を３０μｍから１５μｍまで変化させた感光体を用意し、その感光体を用いて画像形成を行い、ドット面積の標準偏差値を測定した。その結果を図１０（ａ）に示す。また、図１０（ａ）のドット面積標準偏差をそれぞれの感光体の膜厚のトナー高さに対してプロットしたものを図１０（ｂ）に示す。ここで図１０（ｂ）の横軸のトナー高さは、トナー高さの変化量と膜厚の減少量が揃うように示してある。ここで、ドット面積の標準偏差値はその値が大きいほど１ドットの乱れが大きいことに留意しておく。
【００７８】
図１０（ａ）より感光体の膜厚が２５μｍの場合と１５μｍの場合の結果を比較することで、感光体の膜厚が減少することで１ドットの乱れが大きくなっていることがわかる。また、図１０（ｂ）より、トナー高さが２μｍから３．８μｍの結果から（膜厚が２５μｍから１５μｍへの変化に対応）トナー高さが増大するにともなって、１ドットの乱れが大きくなっていることがわかる。これは感光体の膜厚が２５μｍから１５μｍへと増加していくことによって、トナー高さが上昇することにより、現像以降の工程で乱れやすいためである。
【００７９】
［トナー高さのみによる乱れやすさ］
また、感光体の膜厚の変化によるトナーの現像性の変化など、トナーの高さ以外による粒状性に対する影響を除くために、膜厚２５μｍの結果に対して、現像コントラストを７％程度上昇させ、トナー高さのみを上昇させた出力画像に対して、トナー高さとドット面積の標準偏差値の関係を測定した。その結果を図１１に示す。
【００８０】
図１１より、トナー高さが高くなることによってドット面積の標準偏差値が上昇し、１ドットの乱れが上昇していく。
【００８１】
このように、感光体の膜厚が減少することで潜像プロファイルが鮮鋭化し、感光体上のトナー高さが高くなるために、現像以降の画像形成工程おける力学的、静電的な乱れによって出力画像の粒状性が低下してしまう。
【００８２】
［露光スポット径が潜像プロファイルに及ぼす影響］
次に、本実施例における感光体膜厚の減少に対するスポット径の変更手段の理解のために、露光スポット径が潜像プロファイルに及ぼす影響を述べる。
【００８３】
その影響を調べるために、１ドットの潜像プロファイルをシミュレーションした結果について述べる。露光スポット径は４０μｍ、５０μｍ、６０μｍの３つの条件とし、感光体の膜厚は、本実施例における使用前の感光体１の膜厚２５μｍとした。ここで、シミュレーションでの露光条件は各露光スポット径に対して黒ベタでの現像コントラスト電位が一定となるようにしている。ここで、現像コントラスト電位とは、黒ベタ部の潜像電位と、現像電位との差で与えられる。
【００８４】
その結果を図１２に示す。図１２において縦軸は潜像の電位を表し、左から順に露光スポット径が６０μｍ、５０μｍ、４０μｍの結果である。図１２により得られた潜像プロファイルから、潜像プロファイルの現像電位面での傾きおよび現像電位面に対する深さを示したものを図１３（ａ）および（ｂ）に示す。
【００８５】
図１３（ａ）および（ｂ）より露光スポット径が小さくなるに伴い、潜像プロファイルの現像電位面での傾きが大きく、現像電位面に対する深さが深い潜像となる。これは、露光スポット径が小さくなることによって、露光プロファイルのある露光強度における傾きが大きく、光量ピーク値が大きくなるためである。つまり、感光体の電荷発生層に生成される励起キャリア数は、露光強度に依存するため、露光プロファイルの傾きや、光量ピーク値は、電荷発生層に生成される励起キャリア分布の傾きおよび、ピーク値に反映される。そのため、露光プロファイルの傾きおよびピーク値は、潜像プロファイルの傾きおよび深さに反映される。そのため露光スポット径が小さくなることによって露光プロファイルのある露光強度における傾きが大きく、光量ピーク値が大きくなり、潜像プロファイルの現像電位面での傾きが大きく、現像電位面に対する深さが深い潜像となる。
【００８６】
以上の図９（ａ）および（ｂ）と図１３（ａ）および（ｂ）の結果より潜像プロファイルの現像電位面に対する傾きおよび深さへの影響としては、膜厚を変化させても、スポット径を変化させることも同じ影響を及ぼすことがわかる。
【００８７】
このことから、感光体の膜厚が減少したとしても、スポット径を大きくすることによって、感光体の膜厚の減少による潜像プロファイルの現像電位面に対する傾きおよび深さの増大の効果を打ち消すことができる。
【００８８】
［感光体膜厚と露光スポット径の組み合わせに対する潜像プロファイル形状の変化］
そこで、本実施例の使用開始時の初期状態における感光体膜厚２５μｍ、スポット径４０μｍの組み合わせ時における潜像プロファイルの現像電位面での傾きおよび深さに対して、感光体膜厚が２０μｍおよび１５μｍに減少した際の潜像プロファイルの現像電位面での傾きおよび深さを、スポット径を変化させてシミュレーションを行った。スポット径は初期状態における４０μｍから５μｍずつ増加させることとした。
【００８９】
その結果を図１４（ａ）および（ｂ）に示す。図１４（ａ）は感光体膜厚に対して潜像プロファイルの現像電位面での傾きをとったものであり、図１４（ｂ）は感光体膜厚に対して潜像プロファイルの現像電位面に対する深さをとったものである。また、それぞれのデータ点において右に示される「４０μｍ」などの表記は、そのデータ点のシミュレーションに使用したスポット径の大きさを表している。また、図１４（ａ）および（ｂ）にいずれも左端に示すデータが感光体膜厚３０μｍ、スポット径４０μｍの画像形成開始前の初期状態における潜像プロファイルの現像電位面に対する傾きおよび深さを示しており、その値を実線で示した。
【００９０】
感光体の膜厚の減少に対して、潜像プロファイルの現像電位面に対する傾きおよび深さを一定にするためには、この実線で示される画像形成開始前の初期状態における潜像プロファイルの現像電位面に対する傾きおよび深さの値に近づければよい。
【００９１】
図１４（ａ）より、感光体膜厚が２０μｍの場合は、潜像プロファイルの現像電位面に対する傾きが画像形成開始前の初期状態に最も近いのは、スポット径５０μｍの場合である。感光体膜厚が１５μｍの場合は、潜像プロファイルの現像電位面に対する傾きが画像形成開始前の初期状態に最も近いのは、スポット径６０μｍの場合である。また、図１４（ｂ）より、感光体膜厚が２０μｍの場合は、潜像プロファイルの現像電位面に対する深さが画像形成開始前の初期状態に最も近いのは、スポット径５０μｍの場合である。感光体膜厚が１５μｍの場合は、潜像プロファイルの現像電位面に対する深さが、画像形成開始前の初期状態に最も近いのは、スポット径６０μｍの場合である。
【００９２】
以上のことから、潜像プロファイルの現像電位面に対する傾きおよび深さを画像形成開始前の初期状態に対して一定にするためには、感光体膜厚が２０μｍの場合はスポット径を５０μｍとすれば良く、感光体膜厚が１５μｍの場合にはスポット径を６０μｍとすれば良い。
【００９３】
上記に述べたシミュレーション結果は感光体膜厚を２５μｍ、２０μｍ、１５μｍという代表的な３点に対して示したが、さらに細かい感光体の膜厚変動に対して、潜像プロファイルの現像電位面に対する傾きが画像形成開始前の初期状態に対して一定になるようなスポット径をシミュレーションした結果を図１５に示す。
【００９４】
それぞれの感光体の膜厚に対して図１５で示される曲線に基づいてスポット径を変更することで、潜像プロファイルの現像電位面に対する傾きおよび深さを初期状態に対して一定に保つことが出来る。このようにして作成した、潜像プロファイルの現像電位面での傾きおよび、現像電位面に対する深さを一定に保つための膜厚―スポット径の変換表を表３に示す。
【００９５】
【表３】
2017083717.tif 000007
【００９６】
本実施例においては、表３に示す潜像プロファイルの現像電位面での傾きおよび、現像電位面に対する深さを一定に保つための膜厚―スポット径の変換テーブルを持つ。
【００９７】
この変換テーブルおよび膜厚検出器１２によって検知した膜厚から露光に使用するためのスポット径の大きさを決定し、スキャナー７のコリメータレンズ３３をその焦点方向に動かすことによって、前記膜厚及び膜厚―スポット径の変換テーブルによって決定されたスポット径に変更する。
【００９８】
［画像形成シークエンス］
次に図１６に示すブロック図および図１７に示すフローチャートを参照しつつ、本実施例における画像形成工程を説明する。
【００９９】
制御部も含めた本実施例の画像形成装置の構成は図１６に示すようであり、画像信号の入力を行なうホスト６１および、破線で示した画像形成を行なうエンジン部、点線で示した画像形成を制御する制御部からなる。制御部は画像形成装置の全体を制御するコントローラ６２、エンジンの制御を行なうエンジン制御部６３、入力情報に基づいて演算を行なうＣＰＵ６４、膜厚―スポット径・スポット径−コリメートレンズ移動量・トナー濃度−露光量の変換テーブル、前回計測時の膜厚の情報を記憶する記憶手段６５とからなる。
【０１００】
まずホスト６１に対してプリント信号が入力されることで、画像形成が開始される（Ｓ１）。次に、スポット径および黒ベタ濃度検出によるレーザー強度の制御を行なうタイミングかどうかを判断する。ここで、この判断はコントローラ６２によって行なわれ、コントローラ６２が電源入力を検知した時か、定着装置７１の温度情報がコントローラ６２へと伝えられその値が１００℃以下に達してから最初の印字時であるとコントローラ６２が判断した時、Ｓ３の制御シークエンスが行なわれる。そうでない場合、Ｓ８のシークエンスを行なう（Ｓ２）。制御を行なう場合、エンジン制御部６３に制御信号が送られ、帯電装置６８が作動し、感光体１が帯電されると共に、帯電ローラー電流検出器７２と感光体電位検出器７３が作動する。
【０１０１】
帯電ローラー電流検出器７２と感光体電位検出器７３によって検出された帯電ローラー電流と感光体電位と、記憶手段６５に記憶された電流―膜厚変換テーブルによりＣＰＵ６４によって感光体の膜厚が算出される（Ｓ３）。その時、算出された膜厚の値と、記憶手段６５に記憶された前回測定時の感光体の膜厚の値の差分をＣＰＵ６４によって演算し、その値をコントローラ６２に送り、コントローラ６２はその値の絶対値が２μｍ以内ならばＳ７のシークエンスを、膜厚の変化がある場合はＳ４のシークエンスを行なうという判断を行なう（Ｓ４）。
【０１０２】
膜厚の変化がある場合、膜厚の値と、記憶手段５４に記憶された膜厚−スポット径の変換テーブルとから、ＣＰＵ６４によって画像形成に使用するスポット径の値が算出される（Ｓ５）。次に、決定されたスポット径と記憶手段５４に記憶されたスポット径−コリメートレンズの移動量の変換テーブルに基づいてＣＰＵ５３によってコリメートレンズの移動量が算出される。決定されたコリメートレンズの移動量はコントローラ６２によって制御信号に変換され、制御信号はエンジン制御部６３を介してコリメートレンズ駆動部６７へ送られ、コリメートレンズが駆動することでスポット径が変更される（Ｓ６）。
【０１０３】
さらにコントローラ５２は黒ベタ画像を出力する信号を出力し、変更したスポット径を用いて黒ベタ画像が出力される。この黒ベタ画像の中間転写ベルト上での濃度が、トナー濃度検出器５７によって読み取られる。読み取られたトナー濃度の値はＣＰＵ５３へと送られ、トナー濃度の値と、記憶手段５４に記憶されたトナー濃度−レーザー強度変換テーブルによって、画像形成に使用するレーザー強度が算出される。算出されたレーザー強度の値はコントローラ５２によって制御信号に変換され、制御信号はエンジン制御部５６を介してレーザードライバー５５へと送られレーザー強度が変更される（Ｓ７）。
【０１０４】
次に、Ｓ３−Ｓ７の画像形成前のシークエンスによって決定された露光スポット径、及び露光レーザー強度を用いて画像形成が行なわれる（Ｓ８）。なお、表３に示した潜像プロファイルの現像電位面での傾きおよび、現像電位面に対する深さを一定に保つための膜厚―スポット径の変換テーブルは、感光体の特性（誘電率・露光強度と生成電位の関係など）、によっても異なる。
【０１０５】
そのため本実施例における感光体と異なった特性を持った感光体を用いて画像形成を行なう場合、それぞれの感光体の膜厚および露光スポット径の組み合わせによる潜像プロファイルに対するシミュレーションを行なうことによって、感光体の特性に応じた潜像プロファイルの現像電位面での傾きおよび、現像電位面に対する深さを一定に保つための変換テーブルを作成するべきである。
【０１０６】
［効果］
次に本実施例の画像形成装置を用いた時の効果について示す。本実施例の効果を示すためにも、本実施例の画像形成装置および、本実施例の画像形成装置においてスポット径を一定とした（初期状態の４０μｍのまま）ものの二つを比較することとした。
【０１０７】
画像形成枚数は５０，０００枚までとし、画像形成に用いた記録媒体はキヤノン社製カラーレーザーコピア紙（Ａ３サイズ、坪量８１．４ｇ）を用いた。
各出力枚数における感光体の膜厚を読み取り、出力画像の粒状性の値と比較することとした。図１８（ａ）に出力枚数と感光体膜厚の減少の関係を、本実施例の画像形成装置および、本実施例の画像形成装置においてスポット径を一定としたものの二つについて示す。図１８（ａ）に示すように、出力枚数が増加するに伴って感光体の膜厚は減少して行き、画像形成枚数が５０，０００枚になると両者ともに１５μｍ以下となってしまう。
【０１０８】
出力枚数と感光体膜厚の減少の関係は、本実施例の画像形成装置および、本実施例の画像形成装置においてスポット径を一定としたものの二つについてほぼ差がないため、感光体の膜厚に対して出力画像の粒状性を示すＲＭＳ粒状度を取ったものを図１８（ｂ）に示す。図１８（ｂ）の結果を見てもわかる通り、本実施例の画像形成装置においてスポット径を一定とした場合、感光体の膜厚の減少に伴って粒状性が低下していく。これに対して、本実施例における画像形成装置を使用した場合では、感光体の膜厚が減少しても粒状性は変化しない。
【０１０９】
このように、膜厚検出器によって検知した膜厚に基づいて、露光スポット径を潜像プロファイルの現像電位面での傾きおよび、現像電位面に対する深さが一定になるように変更することによって感光体の膜厚が減少しても粒状性の値を一定に保つことが出来る。
【０１１０】
なお、図１８に示した長期使用に伴う膜厚の減少量は感光体の構成によっても異なり、特に感光体に膜厚の削れを防止する被覆層などによって保護されている場合、膜厚の減少量は小さくなる。しかし、その場合も本実施例のように感光体の膜厚に応じてスポット径を変更することによって本実施例と同様の効果を期待できる。
【実施例２】
【０１１１】
［実施例２の構成］
本実施例は実施例１における露光装置の構成および感光体上の露光スポットの積算光量プロファイルの変更手段を変えたものであり、それ以外の構成は実施例１と共通である。
【０１１２】
［露光装置の構成］
図１９（ａ）に本実施例における露光装置の概略図を示す。露光光源８１は１６個のレーザー光源を有する面発光レーザーである。その配列は、図１９（ｂ）に示すように１６個のレーザーが１次元的に配列しており走査面に対して１５°の傾きを有している。
【０１１３】
それぞれのビームの感光体上における露光スポットの光量分布はガウシアンであり、全て同一の分布を形成する。また、感光体上に形成される露光スポットの解像度はレーザーの主走査方向、副走査方向共に１２００ｄｐｉである。また、それぞれのビームの感光体上での露光スポット径は４０μｍである。
【０１１４】
露光光源８１より照射されたレーザー光Ｌ’は、コリメートレンズ８２を通り平行光となった後、６つのミラーにより構成される回転多面体ミラー８３によって反射および走査される。回転多面体ミラー８３によって反射されたレーザー光Ｌ’はｆ−θレンズ８４によって感光体上に集光される。
【０１１５】
露光光源８１にはレーザードライバーが接続されており、レーザーの発光タイミングの制御やレーザー強度の制御を行なう。
【０１１６】
また、レ−ザー走査平面上にレーザーの走査タイミングを検出するフォトダイオード８５が設けられており、感光体走査領域外のレーザー光の走査タイミングを検知する。検出された信号はレーザードライバー８６に送られ、その検出タイミングを元にレーザードライバー８６は露光光源８１の各レーザーの、感光体の走査開始タイミングを制御する。
【０１１７】
［積算光量プロファイルの変化法］
本実施例では、感光体上の積算光量プロファイルを変化させるための手段として、二つのレーザー光におけるスポットの重なりを用いて行う。
【０１１８】
図２０（ａ）に本実施例における露光レーザーの感光体上における走査の仕方について示す。露光光源である１６個のレーザーの、あるポリゴン面に対する走査開始時の感光体上の露光スポットを図２０（ａ）に実線の円として示す。ここで、１６個のレーザーのスポットが感光体の副走査方向に対して一列に並んでいるのは、１６個のレーザーの発光タイミングをずらしているためである。ここで便宜上、この実線の円で示される露光スポットによる走査を第一走査と呼ぶことにする。
【０１１９】
ここで、次のポリゴン面に対する走査開始時の感光体上の露光スポットを図２３に破線の円として示す。また、便宜上この破線の円で示される露光スポットによる走査を第二走査と呼ぶことにする。
【０１２０】
図２０（ａ）に示すように、本実施例では二つのポリゴン面による走査レーザーの感光体上でのスポットの中心をわずかにずらして重ね合わせることで、感光体上に積算光量プロファイルを形成する。
【０１２１】
二つのポリゴン面による走査レーザーの感光体上でのスポットの中心をずらす方法は、第一走査時の走査開始タイミングに対して、第二走査時の走査開始タイミングを、フォトダイオード８５によって検出されたわずかにずらすことによって行なう。
【０１２２】
二つのスポットにおける中心間のずれ量をΔとすると、第一走査時と第二走査時における走査レーザーの走査開始時のタイミングのずれ量に応じて、スポットの中心間のずれ量Δを変化させることができる。
【０１２３】
本実施例では、感光体の膜厚の減少に応じて、前記スポットの中心間のずれ量Δを変化させ、積算光量プロファイルを変化させることによって、潜像プロファイルの現像電位面での傾きおよび、現像電位面に対する深さを一定にする。
【０１２４】
ここで、本実施例における膜厚の減少に対する積算光量プロファイルの変化方法に対する理解のために、スポットの中心をずらすことによってどのように積算光量プロファイルが変化するか、またその積算光量プロファイルの変化によってどのように潜像プロファイルの形状が変化するかについて示す。
【０１２５】
［スポットの中心間のずれ量Δによる積算光量プロファイル形状の変化］
まず、二つのレーザーにおけるスポット中心のずれ量Δに対して積算光量プロファイルがどう変化するかについて示す。図２０（ｂ）にスポット中心のずれ量Δを０μｍ（ずれ無し）、１０μｍ、２０μｍ場合の露光プロファイルのシミュレーション結果を示す。
【０１２６】
ここで、二つのスポット径がずれた場合の積算光量プロファイル形状はガウシアンではないが、比較のため、それぞれの光量ピークに対する１／ｅ２の露光強度における傾きを図２１に示す。
【０１２７】
このように、スポット中心のずれ量を増大させることによって、スポット中心がずれていない場合の積算光量プロファイルの１／ｅ２での傾き、および光量ピーク値を減少させることが出来る。
【０１２８】
ただし、このずれ量Δをあまりに大きくしすぎると、図２０（ｃ）のように、積算光量プロファイルが二つのピークを持つ形状になってしまうため、注意が必要である。
【０１２９】
シミュレーションによると、積算光量プロファイルに二つのピークが出るまでのずれ量Δの大きさは２５μｍであり、本実施例ではずれ量の大きさがこの値を超えないようにした。
【０１３０】
［スポットの中心間のずれ量Δによる潜像プロファイル形状に対する影響］
次に、実施例１の場合と同様にスポットの中心間をずらすことによる潜像プロファイルに対する影響を調べるために、１ドットの潜像プロファイルをシミュレーションした結果について述べる。
【０１３１】
スポット中心間のずれ量Δは０μｍ（ずれ無し）、１０μｍ、２０μｍの３つの条件とし、感光体の膜厚は、本実施例における使用前の感光体１の膜厚２５μｍとした。ここで、シミュレーションでの露光条件は、二つのレーザーによって１ドットの積算光量プロファイルを形成し、そのドットによって形成された黒ベタでのコントラスト電位が一定となるようにしている。
【０１３２】
その結果を図２２に示す。図２２において縦軸は潜像の電位を表し、左から順にスポットの中心のずれ量が０μｍ、１０μｍ、２０μｍの結果である。
【０１３３】
図２２により得られた潜像プロファイルから、潜像プロファイルの現像電位面での傾きおよび現像電位面に対する深さを示したものを図２３（ａ）および（ｂ）に示す。
【０１３４】
図２３（ａ）および（ｂ）に示すようにスポット中心のずれ量を増加させるに伴い、潜像プロファイルの現像電位面での傾きが小さく、現像電位面に対する深さが浅い潜像となる。
【０１３５】
このように、潜像プロファイルの傾きおよび深さに対しては、二つのビームにおけるスポット中心のずれ量の変化させても、一つのビームの露光スポット径を変化させても同じ影響をおよぼす。
【０１３６】
［スポット間のずれ量Δと膜厚の変化による潜像プロファイル形状に対する影響］
次に実施例１の場合と同様に、感光体の膜厚変動に対して、潜像プロファイルの現像電位面に対する傾きが画像形成開始前の初期状態に対して一定になるようなスポット中心のずれ量をシミュレーションによって算出した。その結果を図２４に示す。
【０１３７】
それぞれの感光体の膜厚に対してこの曲線に基づいてスポット中心のずれ量を変更することで、潜像プロファイルの現像電位面に対する傾きおよび深さを画像形成開始前の初期状態に対して一定に保つことが出来る。
【０１３８】
図２４を元に作成した、潜像プロファイルの現像電位面での傾きおよび、現像電位面に対する深さを一定に保つための膜厚―スポット中心のずれ量の変換表を表４に示す。
【０１３９】
【表４】
2017083717.tif 000008
【０１４０】
本実施例においては、表４に示す膜厚―スポット中心のずれ量の変換テーブルを持つ。
【０１４１】
この変換テーブルおよび膜厚検出器１２によって検知した膜厚に基づいて、露光に使用するためのスポット中心のずれ量を決定し、レーザードライバー８６によって第一走査時と第二走査時におけるレーザーの走査開始時のタイミングを変化させてスポット中心のずれ量を前記ずれ量にあわせ、画像形成を行なう。
【０１４２】
なお、表４に示した潜像プロファイルの現像電位面での傾きおよび、現像電位面に対する深さを一定に保つためのスポット中心のずれ量の変換テーブルは、感光体の特性（誘電率・露光強度と生成電位の関係など）、によっても異なる。
【０１４３】
そのため本実施例における感光体と異なった特性を持った感光体を用いて画像形成を行なう場合、それぞれの感光体の膜厚およびスポット中心のずれ量の組み合わせによる潜像プロファイルに対するシミュレーションを行なうことによって、感光体の特性に応じた潜像プロファイルの現像電位面での傾きおよび、現像電位面に対する深さを一定に保つための変換テーブルを作成するべきである。
【０１４４】
［実施例２の効果］
次に本実施例の画像形成装置を用いた時の効果について示す。実施例１の場合と同様に、本実施例の画像形成装置および、本実施例の画像形成装置においてスポット中心をずらさないものの二つを比較することとした。
【０１４５】
画像形成枚数は５０，０００枚までとし、画像形成に用いた記録媒体はキヤノン社製カラーレーザーコピア紙（Ａ３サイズ、坪量８１．４ｇ）を用いた。
【０１４６】
各出力枚数における感光体の膜厚を読み取り、出力画像の粒状性の値と比較することとした。
【０１４７】
実施例１の場合と同様に、感光体の膜厚に対して出力画像のＲＭＳ粒状度を取ったものを図２５に示す。図２５の結果を見てもわかる通り、本実施例の画像形成装置においてスポット中心をずらさない場合、感光体の膜厚の減少に伴って粒状性が低下していく。これに対して、本実施例における画像形成装置を使用した場合では、感光体の膜厚が減少しても粒状性は変化しない。
【０１４８】
このように、膜厚検出器によって検知した膜厚に基づいて、二つのビームにおけるスポット中心のずれ量を潜像プロファイルの現像電位面での傾きおよび、現像電位面に対する深さが一定になるように変更することによって感光体の膜厚が減少しても粒状性の値を一定に保つことが出来る。
【０１４９】
本発明に係る画像形成装置によれば、感光体の膜厚が減少しても潜像プロファイルが鮮鋭化することなく、感光体上のトナー像の高さを一定に保つことができ、経時の使用に伴う粒状性の劣化を抑え、経時の使用でも画像品質を維持することが出来る安定性の高い画像形成装置を提供することができる。
【符号の説明】
【０１５０】
１  感光体、７  スキャナー、１２  膜厚検出器、３２  焦点調整機構、
３３  コリメートレンズ、Ｌ  レーザービーム、Ｌ’  レーザービーム
【図１】
2017083717.tif 000009
【図２】
2017083717.tif 000010
【図３】
2017083717.tif 000011
【図４】
2017083717.tif 000012
【図５】
2017083717.tif 000013
【図６】
2017083717.tif 000014
【図７】
2017083717.tif 000015
【図８】
2017083717.tif 000016
【図９】
2017083717.tif 000017
【図１０】
2017083717.tif 000018
【図１１】
2017083717.tif 000019
【図１２】
2017083717.tif 000020
【図１３】
2017083717.tif 000021
【図１４】
2017083717.tif 000022
【図１５】
2017083717.tif 000023
【図１６】
2017083717.tif 000024
【図１７】
2017083717.tif 000025
【図１８】
2017083717.tif 000026
【図１９】
2017083717.tif 000027
【図２０】
2017083717.tif 000028
【図２１】
2017083717.tif 000029
【図２２】
2017083717.tif 000030
【図２３】
2017083717.tif 000031
【図２４】
2017083717.tif 000032
【図２５】
2017083717.tif 000033